(57)【特許請求の範囲】
【請求項１】
画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生する再生手段と、再生されたディジタルデータの誤り訂正復号化処理を行う誤り訂正復号化処理手段と、誤り訂正復号化処理されたディジタルデータの情報伸張処理を行う情報伸張処理手段と、情報伸張処理されたディジタルデータに対して記録時のシャフリングと逆の処理を行って画素位置を元の位置に戻し、元の画像信号を出力する出力処理手段とを備える画像信号再生装置において、
前記シンクブロックを構成する輝度信号の所定画素ブロックの一部に訂正不能誤りがある場合には、その訂正不能誤りがある所定画素ブロックを含むシンクブロック内の所定画素ブロックの情報伸張処理は、所定画素ブロック毎の固有のデータに限定して行うように前記情報伸張処理手段を制御するとともに、
前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えるように前記出力処理手段を制御する訂正制御手段を有することを特徴とする画像信号再生装置。
【請求項２】
画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生する再生手段と、再生されたディジタルデータの誤り訂正復号化処理を行う誤り訂正復号化処理手段と、誤り訂正復号化処理されたディジタルデータの情報伸張処理を行う情報伸張処理手段と、情報伸張処理されたディジタルデータに対して記録時のシャフリングと逆の処理を行って画素位置を元の位置に戻し、元の画像信号を出力する出力処理手段とを備える画像信号再生装置において、
前記シンクブロックを構成する輝度信号の所定画素ブロックの一部に訂正不能誤りがある場合には、前記訂正不能誤りがある所定画素ブロックを含むシンクブロックの画像内容が前記隣接するフレームの対応するシンクブロックの画像内容と類似するときは、前記訂正不能誤りがある所定画素ブロックを含むシンクブロックのデータをすべて前記隣接するフレームの対応するシンクブロックのデータに置き換えて、通常の情報伸張処理を行うように前記情報伸張処理手段を制御する一方、
前記画像内容が類似しないときは、前記訂正不能誤りがある所定画素ブロックを含むシンクブロック内の所定画素ブロックの情報伸張処理は、所定画素ブロック毎の固有のデータに限定して行うように前記情報伸張処理手段を制御するとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えるように前記出力処理手段を制御する訂正制御手段を有することを特徴とする画像信号再生装置。
【請求項３】
前記情報圧縮処理は、画像内容の変化が大きいときに使用する動きモードまたは画像内容の変化が小さいときに使用する静止モードのいずれかで実行され、かついずれのモードで情報圧縮処理を行ったかを示すモード情報を付加するものであり、前記訂正制御手段は、前記画像内容が類似するか否かの判別を、前記モード情報を参照することにより行うことを特徴とする請求項２に記載の画像信号再生装置。
【請求項４】
画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生し、誤り訂正復号化処理及び情報伸張処理を行い、元の画像信号を出力する画像信号再生方法において、
前記シンクブロックを構成する輝度信号の所定画素ブロックの一部に訂正不能誤りがある場合には、その訂正不能誤りがある所定画素ブロックを含むシンクブロック内の所定画素ブロックの情報伸張処理は、所定画素ブロック毎の固有のデータに限定して行うとともに、
前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えることを特徴とする画像信号再生方法。
【請求項５】
画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生し、誤り訂正復号化処理及び情報伸張処理を行い、元の画像信号を出力する画像信号再生方法において、
前記シンクブロックを構成する輝度信号の所定画素ブロックの一部に訂正不能誤りがある場合には、前記訂正不能誤りがある所定画素ブロックを含むシンクブロックの画像内容が前記隣接するフレームの対応するシンクブロックの画像内容と類似するときは、前記訂正不能誤りがある所定画素ブロックを含むシンクブロックのデータをすべて前記隣接するフレームの対応するシンクブロックのデータに置き換えて、通常の情報伸張処理を行う一方、
前記画像内容が類似しないときは、前記訂正不能誤りがある所定画素ブロックを含むシンクブロック内の所定画素ブロックの情報伸張処理は、所定画素ブロック毎の固有のデータに限定して行うとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えることを特徴とする画像信号再生方法。
【発明の詳細な説明】
【０００１】
【発明の属する技術分野】
本発明は、画像信号をディジタル化し、情報圧縮処理、誤り訂正符号化処理等を行うことにより得られるディジタルデータが記録された記録媒体から、そのディジタルデータを再生して元の画像信号を出力する画像信号再生装置及び方法に関する。
【０００２】
【従来の技術】
画像信号をディジタル化し、情報圧縮処理を施して記録媒体としての磁気テープに記録し、該記録した情報を再生するディジタルＶＴＲ（ビデオテープレコーダ）の規格としてＤＶ規格（またはＤＶＣ規格と呼ばれる）が知られている（例えば、HD-Digital VCR Conference: Specification of Digtal VCR for Consumer0-use (Jul. 1993)）。以下このＤＶ規格の概略を説明する。
【０００３】
画像信号は、輝度信号Ｙと色差信号Ｃｒ，Ｃｂとで構成され、ＮＴＳＣなどのいわゆる５２５本／６０フィールド方式では、（４：１：１）で標本化されて輝度信号Ｙの水平方向の有効画素数が７２０画素、垂直方向の有効ライン数が４８０本、色差信号Ｃｒ，Ｃｂについてはそれぞれ水平方向の有効画素数が１８０画素、垂直方向の有効ライン数が４８０本である。またＰＡＬなどのいわゆる６２５本／５０フィールド方式では、（４：２：０）で標本化されて輝度信号Ｙの水平方向の有効画素数が７２０画素、垂直方向の有効ライン数が５７６本、色差信号Ｃｒ，Ｃｂについてはそれぞれ水平方向の有効画素数が３６０画素、垂直方向の有効ライン数が２８８本である。
【０００４】
これらの有効画素データをブロック化してＤＣＴ（離散コサイン変換）演算を行うことにより、画像情報の圧縮を行う。ＤＣＴ演算のためのブロック（以下「ＤＣＴブロック」という）は、具体的には輝度信号Ｙ及び色差信号Ｃｒ，Ｃｂのそれぞれについて１フレームの画素に対して水平８画素×垂直８画素で区切って構成される。そして、図４（ａ），（ｂ）に示すように、画面上の同じ位置の同じ面積に対応する輝度信号ＹのＤＣＴブロック４つと、色差信号Ｃｂ及びＣｒのＤＣＴブロック１つずつとからなる６ＤＣＴブロックを「マクロブロック」と呼ぶ。さらに図５に示すように、１フレームの画面を２７マクロブロック単位で分割し、スーパーブロックを構成する。そして、図５の中で各列から１つのスーパーブロックを選択し、それぞれのスーパーブロックから１つのマクロブロックを取り出し、５個のマクロブロックで１ビデオセグメントを構成する。画像情報圧縮処理時には、ビデオセグメント単位でデータ量が所定量以内となるように制御される。さらにこのようにしてデータ量を収めたビデオセグメントを再度マクロブロック単位に分割して元の画面の位置に並べ戻し、磁気テープに記録するときに１フレームの画面を１０本の帯に分割し、その１本のデータを１トラックに記録する。
【０００５】
ＤＣＴ演算としては、フレーム単位で水平８画素×垂直８画素で８×８のＤＣＴを行うモード（以下「静止モード」という）と、フィールド単位で水平８画素×垂直４画素で８×４のＤＣＴを行い、２つのフィールドの各ＤＣＴ係数の和と差をとるモード（以下「動きモード」という）とが設けられており、符号化時に適応的に切り換え可能とされている。すなわち２つのフィールド間の動きが小さい場合には前者が選択され、動きが大きい場合には後者が選択される。ＤＣＴ演算により得られたＤＣＴ係数は、量子化と可変長符号化を施した後のデータ量が所定値以下で且つ最もその所定値に近い値となるように、量子化テーブルを選択して量子化される。
【０００６】
可変長符号化はＤＣＴ係数の交流成分について行われ、交流成分を低周波成分から順次読み出し、０の連続数と０の後に出現する非０の値の２情報により、２次元ハフマン符号化する。可変長符号化後のデータは、図６に示すようにフォーマッティングされ、さらに図７に示すように、シンクワード、ＩＤコード及び誤り訂正のためのパリティワード（インナパリティ）が付加されたシンクブロックが構成され、シンクブロックを単位として磁気テープ上に記録される。
【０００７】
図６において、各シンクブロックのデータ領域には、可変長符号化後のデータと共に復号に必要なパラメータ（選択した量子化テーブルの番号であるＱｎｏ、エラーとコンシールの情報であるＳＴＡ、ＤＣＴブロックの状況に応じた値をとるクラス番号、及び前記静止モードまたは動きモードのいずれのモードを選択したかを示すＤＣＴモードフラグ）も格納されている。ここで、コンシールとは、訂正できない誤りが発生した場合に、前のフレームなどのデータを使用してデータを置き換えることをいう。
【０００８】
１ビデオセグメントの情報は、５シンクブロックに格納される。前述したように、１ビデオセグメントは５マクロブロックで構成されるので、１シンクブロックはほぼ１マクロブロックに相当する。１マクロブロックは、輝度信号ＹのＤＣＴブロック４つと、色差信号Ｃｂ及びＣｒのＤＣＴブロック１つずつとからなるので、それぞれの直流成分（ＤＣ）は図６のＤＣ領域に格納され、交流成分（ＡＣ）は、原則として直流成分と同一のシンクブロック内の、同一のＤＣＴブロックに対応するＡＣ領域に順次格納されるが、このデータ量が割り当てられた領域の容量より多くなった場合には、同一のシンクブロック内の空いているＡＣ領域、あるいは同一ビデオセグメント内の他のシンクブロックの空きＡＣ領域に格納される。したがって、１マクロブロックのＤＣデータは必ず１つのマクロブロックの同じ位置に格納され、交流成分の低域（低周波成分）のデータはほぼ決まった位置に格納されるが、交流成分の高域（高周波成分）のデータは１つのシンクブロック内に収まっていない可能性もある。
【０００９】
誤り訂正符号化は、ビデオデータについて１フレームを構成する２７０ビデオセグメントの１／１０の２７ビデオセグメント、すなわち１３５シンクブロックにビデオＡＵＸ（補助情報）の３シンクブロックを加えた１３８シンクブロックを集め、これを仮想的に２次元に配置し、まず列方向に対してリードソロモン符号化などの誤り訂正符号化（外訂正符号化）を行ってアウタパリティ１１バイトを付加する。列方向の誤り訂正符号化がすべて終了すると、アウタパリティのシンクブロックが１１シンクブロックとなる。これにビデオセグメント及びビデオＡＵＸの１３８シンクブロックを加えた１４９シンクブロックの行方向に対して誤り訂正符号化（内訂正符号化）を行い、インナパリティ８バイトを付加する。これにより、１トラック分のビデオデータが構成される（図８（ａ）参照）。
【００１０】
次に従来のＶＴＲにおける再生時の誤り訂正処理について図９を参照して説明する。１トラック分の再生データから１４９シンクブロックを取り出し、これを単位としてまず内符号復号化部１０１により各シンクブロックのインナパリティを用いた内符号復号化を行う。予め設定された誤り訂正数よりも検出した誤りが多かった場合には、そのシンクブロックには消失フラグ付加部１０４により、消失フラグが付加される。そして、消失フラグは訂正制御部１０５に書き込まれ、再生データはメモリ１０２に書き込まれる。
【００１１】
次いで外符号復号化部１０３によりアウタパリティ及び前記消失フラグを用いた外符号復号化を行う。復号の結果、１４９シンクブロックがすべて訂正可能であった場合は、訂正後のシンクブロックのデータを復号データとして用い、外符号による訂正が不能なデータがあった場合には、消失フラグが付加されていないシンクブロックを有効とし、消失フラグが付加されているシンクブロックは、前のフレームの同じ位置のシンクブロックと置き換えるコンシールを行う。ここで、前のフレームのデータは、メモリ１０２に格納されている。外符号復号化部１０３の出力データは、記録時の逆の情報伸張処理等が施され、元の画像信号に戻されて出力される。
【００１２】
【発明が解決しようとする課題】
上述したように従来のＶＴＲでは、再生時に誤りが多く発生し、訂正不能となった場合には、誤りが存在すると考えられるシンクブロックを前のフレームの同じ位置のシンクブロックと置き換えるコンシールが行われる。シンクブロックは、ほぼマクロブロックに対応しているので、画面内では一部のマクロブロックが前のフレームのマクロブロックと置き換えられることとなるため、画面内の静止している部分ではこの処理による視覚上の妨害が少ないが、動きがある部分では視覚的に大きな妨害となる。
【００１３】
本発明はこの点に着目してなされたものであり、訂正不能の誤りが発生した場合に、特に動きのある部分の視覚上の妨害を低減することができる画像信号再生装置及び方法を提供することを目的とする。
【００１４】
【課題を解決するための手段】
上記目的を達成するため請求項１に記載の発明は、画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生する再生手段と、再生されたディジタルデータの誤り訂正復号化処理を行う誤り訂正復号化処理手段と、誤り訂正復号化処理されたディジタルデータの情報伸張処理を行う情報伸張処理手段と、情報伸張処理されたディジタルデータに対して記録時のシャフリングと逆の処理を行って画素位置を元の位置に戻し、元の画像信号を出力する出力処理手段とを備える画像信号再生装置において、前記シンクブロックを構成する輝度信号の所定画素ブロックの一部に訂正不能誤りがある場合には、その訂正不能誤りがある所定画素ブロックを含むシンクブロック内の所定画素ブロックの情報伸張処理は、所定画素ブロック毎の固有のデータに限定して行うように前記情報伸張処理手段を制御するとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えるように前記出力処理手段を制御する訂正制御手段を有することを特徴とする。
【００１５】
請求項２に記載の発明は、画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生する再生手段と、再生されたディジタルデータの誤り訂正復号化処理を行う誤り訂正復号化処理手段と、誤り訂正復号化処理されたディジタルデータの情報伸張処理を行う情報伸張処理手段と、情報伸張処理されたディジタルデータに対して記録時のシャフリングと逆の処理を行って画素位置を元の位置に戻し、元の画像信号を出力する出力処理手段とを備える画像信号再生装置において、前記シンクブロックを構成する輝度信号の所定画素ブロックの一部に訂正不能誤りがある場合には、前記訂正不能誤りがある所定画素ブロックを含むシンクブロックの画像内容が前記隣接するフレームの対応するシンクブロックの画像内容と類似するときは、前記訂正不能誤りがある所定画素ブロックを含むシンクブロックのデータをすべて前記隣接するフレームの対応するシンクブロックのデータに置き換えて、通常の情報伸張処理を行うように前記情報伸張処理手段を制御する一方、前記画像内容が類似しないときは、前記訂正不能誤りがある所定画素ブロックを含むシンクブロック内の所定画素ブロックの情報伸張処理は、所定画素ブロック毎の固有のデータに限定して行うように前記情報伸張処理手段を制御するとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えるように前記出力処理手段を制御する訂正制御手段を有することを特徴とする。
【００１６】
請求項３に記載の発明は、請求項２に記載の画像信号再生装置において、前記情報圧縮処理は、画像内容の変化が大きいときに使用する動きモードまたは画像内容の変化が小さいときに使用する静止モードのいずれかで実行され、かついずれのモードで情報圧縮処理を行ったかを示すモード情報を付加するものであり、前記訂正制御手段は、前記画像内容が類似するか否かの判別を、前記モード情報を参照することにより行うことを特徴とする。
【００１７】
請求項４に記載の発明は、画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生し、誤り訂正復号化処理及び情報伸張処理を行い、元の画像信号を出力する画像信号再生方法において、前記シンクブロックを構成する輝度信号の所定画素ブロックの一部に訂正不能誤りがある場合には、その訂正不能誤りがある所定画素ブロックを含むシンクブロック内の所定画素ブロックの情報伸張処理は、所定画素ブロック毎の固有のデータに限定して行うとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えることを特徴とする。
【００１８】
請求項５に記載の発明は、画像信号を構成する輝度信号及び色信号をそれぞれ所定画素ブロックを単位として情報圧縮処理を行い、該処理後のデータに対して誤り訂正符号化処理を行い、該処理後のデータを、前記輝度信号及び色信号のそれぞれに対応する複数の所定画素ブロックのデータを含むシンクブロックを単位として記録媒体に記録する装置によりディジタルデータが記録された記録媒体から前記ディジタルデータを再生し、誤り訂正復号化処理及び情報伸張処理を行い、元の画像信号を出力する画像信号再生方法において、前記シンクブロックを構成する輝度信号の所定画素ブロックの一部に訂正不能誤りがある場合には、前記訂正不能誤りがある所定画素ブロックを含むシンクブロックの画像内容が前記隣接するフレームの対応するシンクブロックの画像内容と類似するときは、前記訂正不能誤りがある所定画素ブロックを含むシンクブロックのデータをすべて前記隣接するフレームの対応するシンクブロックのデータに置き換えて、通常の情報伸張処理を行う一方、前記画像内容が類似しないときは、前記訂正不能誤りがある所定画素ブロックを含むシンクブロック内の所定画素ブロックの情報伸張処理は、所定画素ブロック毎の固有のデータに限定して行うとともに、前記訂正不能誤りがある所定画素ブロックのデータと、その訂正不能誤りがある所定画素ブロックに対応する色信号のデータとを、その訂正不能誤りが発生したフレームに隣接するフレームの対応するデータに置き換えることを特徴とする。
【００１９】
【発明の実施の形態】
以下本発明の実施の形態を図面を参照して説明する。
（第１の実施形態）
図１は本発明の実施の一形態にかかるディジタル画像信号記録再生装置の要部の構成を示すブロック図であり、この装置は、前述したＤＶ規格に準拠したＶＴＲである。
【００２０】
図１において記録系は、ブロック化・シャフリング部１１と、圧縮処理部１２と、誤り訂正符号化部１３と、シンクブロック合成記録変調部１４と、記録アンプ１５と、記録ヘッド１６とを主たる構成要素とし、ＤＶ規格に準拠した記録信号処理を行う。ブロック化・シャフリング部１１は、入力されるラスタスキャンの画像データ（輝度信号Ｙ及び２つの色差信号Ｃｂ，Ｃｒに対応する画像データ）から垂直８画素×水平８画素のブロック（以下「ＤＣＴブロック」という）を構成し、このＤＣＴブロックをマクロブロック（Ｙ信号４ブロック、Ｃｂ信号１ブロック、Ｃｒ信号１ブロック）単位で出力する。圧縮処理部１２は、入力データに対してＤＣＴ（離散コサイン変換）演算、量子化及び可変長符号化を行い、誤り訂正符号化部１３は、誤り訂正符号化を行いアウタパリティ及びインナパリティの付加を行う。シンクブロック合成記録変調部１４は、磁気テープに記録する小単位を構成するシンクブロックの合成を行うとともに、磁気テープに記録するための変調を行い、シンクブロック合成記録変調部１４の出力データは、記録アンプ１５で増幅され、磁気ヘッド１６により記録媒体としての磁気テープ５０に記録される。
【００２１】
また再生系は、再生ヘッド２１と、再生アンプ２２と、ＳＹＮＣ検出再生復調部２３と、誤り訂正復号化部２４と、伸張処理部２５と、出力処理部２６と、訂正制御部２７とを主たる構成要素とする。なお、再生ヘッド２１は、記録ヘッド１６と同一のものとしてもよい。磁気テープ５０から再生ヘッド２１により再生されたデータは、再生アンプ２２で増幅され、ＳＹＮＣ検出再生復調ブロック２３に入力される。ＳＹＮＣ検出再生復調部２３は、再生データからＳＹＮＣワードを検出するとともに記録時の変調に対応した復調を行う。誤り訂正復号化部２４は、インナパリティ及びアウタパリティを利用した誤り検出・訂正処理を行い、伸張処理部２５は、記録時と逆の処理、すなわち可変長復号化、逆量子化及び逆ＤＣＴ演算を順次行う。出力処理部２６は、記録時のシャフリングと逆の処理を行って画素配置を元に戻し、画像データ（輝度信号Ｙ及び色差信号Ｃｂ、Ｃｒ）を出力する。訂正制御部２７は、マイクロコンピュータ等からなり、後述するように誤り訂正復号化部２４、伸張処理部２５、及び出力処理部２６における誤り訂正及び伸張出力処理の制御を行う。出力処理部２６は、フレームメモリを２つ備えており、再生中のフレームと、１つ前のフレームのデータを格納して、両者に格納されたデータを適宜選択して出力できるように構成されている。
【００２２】
誤り訂正復号化部２４は、具体的には図２に示すように、内符号復号化部３１と、メモリ３２と、外符号復号化部３３と、消失フラグ付加部３４と、外符号訂正不能フラグ付加部３５とを備えている。この構成において、内符号復号化部３１は、従来例と同様にインナパリティを用いた内符号復号化を行い、検出された誤り数が予め設定された所定誤り訂正数以下であるときは訂正を行い、所定誤り訂正数を越えるときは、訂正を行わずに、訂正できなかったことを示す消失フラグが、消失フラグ付加部３４により、対応するシンクブロックに付加される（図８（ｂ）において×を付したシンクブロックが消失フラグが付加されたことを示す）。このとき、インナパリティによる誤り訂正が施されたデータは、メモリ３２に書き込まれ、消失フラグは訂正制御部２７に書き込まれる。
【００２３】
外符号復号化部３３は、アウタパリティ及び前記消失フラグを用いた外符号復号化処理を、１トラック分のビデオデータに対応する１４９シンクブロックを単位として行う。復号の結果、すべてのアウタパリティについて訂正可能であった場合には、訂正後のデータを復号データとして出力する。一方、訂正できない誤りがあった場合には、図８（ｃ）に示すように外符号訂正不能フラグを外符号訂正不能フラグ付加部３５により付加し、このフラグを訂正制御部２７内に保持する。
【００２４】
ここで、訂正、伸張出力処理の説明の前に、図６に示すシンクブロック内のビデオデータフォーマットの構成をより具体的に説明する。１シンクブロックのビデオデータは、７７バイトからなり、第１バイトは、誤りとコンシールの情報であるＳＴＡフラグと、量子化器番号ＱＮｏとからなり、第２バイト及び第３バイトの上位４ビットには、１マクロブロック中の１つの輝度信号ＹのＤＣＴブロックのＤＣ成分（９ビット）と、ＤＣＴブロックの状況に応じた値をとるクラス番号と、そのＤＣＴブロックが動きモードで圧縮されたか静止モードで圧縮されたかを示すＤＣＴモードフラグとが格納されている。第３バイトの下位４ビット及び第４〜第１５バイトには、原則として同じ輝度成分の交流成分が低周波成分から高周波成分へと順次格納されている。ただし、高周波成分の領域（例えば第１４，第１５バイト）には、同じシンクブロック内の他のＤＣＴブロックに対応するデータ、あるいは同じビデオセグメント内の他のシンクブロックのデータが格納される場合もある。以下、同様の形式で第１６〜第２９バイト、第３０〜第４３バイト及び第４４〜第５７バイトには同じマクロブロック中の他の輝度信号成分に対応するＤＣＴブロックのデータが格納され、第５８〜第６７バイト及び第６８〜第７７バイトには、色差信号Ｃｒ及びＣｂのＤＣＴブロックのデータが格納されている。以下の説明では、第２〜第１５バイトを領域Ｂ１といい、第１６〜第２９バイトを領域Ｂ２といい、第３０〜第４３バイトを領域Ｂ３といい、第４４〜第５７バイトを領域Ｂ４といい、第５８〜第５７バイトを領域Ｂ５といい、第５８〜第１５バイトを領域Ｂ５といい、第６８〜第７７バイトを領域Ｂ６という。
【００２５】
訂正制御部２７は、外符号訂正不能フラグが付加されたデータ（消失フラグと外符号訂正不能フラグで特定されるバイト）が、輝度信号ＹのＤＣＴブロックに対応する領域（例えば領域Ｂ１）内のデータであるときは、以下のように訂正処理を行う。以下、領域Ｂ１のみに訂正不能の誤りがある場合を想定して説明する。
【００２６】
すなわち、当該シンクブロック内の誤りの無い領域Ｂ２〜Ｂ６については、各領域に対応するＤＣＴブロックに割り当てられた固有の領域に限定して伸張処理を行うように伸張処理部２５における復号化処理を制御する。
【００２７】
また、当該シンクブロックが含まれるビデオセグメントに属する他のシンクブロックについては、それぞれのシンクブロック内のデータに限定して復号化処理を行うように制御する。これにより、訂正不能誤りが発生したビデオセグメント内においては、１つシンクブロック内のデータの復号には、他のシンクブロックにかかるデータは使用されないことになる。すなわち、記録時に１つのマクロブロックに対応するデータを１つのシンクブロックに格納できなかった場合には、他のシンクブロックの領域が流用されるが、このように他のシンクブロックに回されたデータは、復号に使用されないこととなる。
【００２８】
さらに訂正制御部２７は、誤りのない輝度信号ＹのＤＣＴブロックに対応するデータ（領域Ｂ２〜４に格納されていたデータ）はそのまま出力し、誤りのある輝度信号ＹのＤＣＴブロックに対応するデータ（領域Ｂ１に格納されていたデータ）は、前のフレームの同一位置のＤＣＴブロックに対応するデータに置き換えて出力するように、出力処理部２６を制御する。また色差信号Ｃｒ、Ｃｂについては、誤りのない輝度信号のＤＣＴブロック（領域Ｂ２〜Ｂ４に格納されていたデータ）に対応する画素のデータはそのまま出力し、誤りのある輝度信号のＤＣＴブロック（領域Ｂ１に格納されていたデータ）に対応する画素のデータは、前のフレームの同一位置のデータに置き換えて出力するように制御する。
【００２９】
これを図３を用いて説明すると、輝度信号Ｙの４個のＤＣＴブロックと、色差信号Ｃｒ及びＣｂの１個のＤＣＴブロックとでマクロブロックが構成されているが、輝度信号ＹのＤＣＴブロックＹ１，Ｙ２，Ｙ３，Ｙ４は、それぞれ８個のＣｂ及びＣｒの画素の組Ｐ１，Ｐ２，Ｐ３，Ｐ４と対応している。ここでは、Ｙ１に誤りがあることから、Ｐ１のＣｂ及びＣｒの画素を前フレームの画素データで置き換える。
また色差信号Ｃｒ、Ｃｂが主として格納されている領域Ｂ５またはＢ６に訂正不能の誤りがある場合は、従来と同様にコンシールを行うように制御する。
【００３０】
以上のように訂正処理の制御を行うことにより、訂正不能の誤りがある輝度信号ＹのＤＣＴブロックの対応する画面領域の輝度信号及び色差信号は、従来と同様に前フレームのデータで置き換えられるが、誤りのない輝度信号ＹのＤＣＴブロックに対応する画面領域は、現フレームのデータが使用されるので、前フレームのデータで置き換えられる領域がより限定され、視覚上目立たなくすることができる。
【００３１】
なお、上述した説明では、領域Ｂ１に訂正不能の誤りがある場合を例にとったが、例えば領域Ｂ１及びＢ２に訂正不能の誤りがある場合は、領域Ｂ３，Ｂ４に格納されたデータを、誤りのない輝度信号Ｙに対応するデータとして扱うことにより同様に処理される。
【００３２】
（第２の実施形態）
第１の実施形態では、記録された画像の内容にかかわらず同一の処理を行うようにしたが、本実施形態では、画面内の静止している領域については、従来と同様に訂正不能の誤りがあるシンクブロックに対応するマクロブロックのデータを、前フレームのデータで全部置換する処理を行い、動きのある領域については、第１の実施形態と同様の処理を行う。第１の実施形態の処理は、訂正不能誤りが発生したシンクブロックでは、各ＤＣＴブロックに固有のデータのみを使用するようにしているため、高域成分が失われる場合があることを考慮したからである。
【００３３】
具体的には、訂正制御部２７は、訂正不能の誤りが発生した画面領域の隣接周辺領域について、出力処理部２６内の２つフレームメモリに格納されている現フレームの情報と前フレームの情報とを比較してその類似性の判定を行い、類似性が高く静止した画面領域であると判定した場合には、訂正不能誤りが発生したシンクブロックに対応するマクロブロックのデータを前フレームで全部置き換えて出力するように制御する一方、訂正不能の誤りが発生した現フレームの画面領域の隣接周辺領域と、対応する前フレームの画面領域との類似性が低く、動きのある領域と判定した場合は、第１の実施形態と同様の処理を行う。すなわち、訂正不能誤りがあるＤＣＴブロックを含むシンクブロック内のＤＣＴブロックの復号化処理は、ＤＣＴブロック毎の固有のデータに限定して行うとともに、訂正不能誤りがある輝度信号ＹのＤＣＴブロックのデータと、そのＤＣＴブロックに対応する色差信号Ｃｒ，Ｃｂのデータとを、前フレームの対応するデータに置き換えるように制御する。
【００３４】
なお上記類似性の判定には、訂正不能誤りが発生したシンクブロックに対応するマクロブロックの周辺の画素の情報を使用する。
上述した点以外は第１の実施形態と同一である。
【００３５】
本実施形態によれば、画面内の静止している領域では、誤りのあるシンクブロックに対応するマクロブロックのデータがすべて前フレームの対応するデータで置き換えられるので、第１の実施形態の処理により交流成分の高域成分が失われることがなく、また動きがないので前フレームのデータで置き換えたときの画質の劣化もないので、良好な再生画質を得ることができる。また画面内の動きのある領域では、第１の実施形態と同様の効果を得ることができる。
【００３６】
（第３の実施形態）
第２の実施形態では、出力処理部２６のフレームメモリを用いて現フレームと前フレームとの類似性を判定するようにしたが、本実施形態は、これに代えて、各シンクブロックに格納されているＤＣＴモードフラグを用いて、この判定を行うようにしたものである。すなわち、ＤＣＴモードフラグが静止モードで圧縮したことを示すときは、訂正不能誤りが発生したシンクブロックに対応するマクロブロックのデータを前フレームで全部置き換えて出力するように制御する一方、ＤＣＴモードフラグが動きモードで圧縮したことを示すときは、第１の実施形態と同様の処理を行う。
【００３７】
上述した点以外は第２の実施形態と同一である。
本実施形態によれば、訂正不能誤りが発生した画面領域の動きの有無（現フレームの画面内容と前フレームの画面内容との類似性の有無）を判定するための処理を再生時に行う必要がなく、構成の簡略化を図ることができる。
【００３８】
（その他の実施形態）
なお本発明は上述した実施形態に限るものではなく、種々の変形が可能である。例えば、データの置き換えは、前フレームのデータに限るものではなく、１つ後のフレームのデータに置き換えるようにしてもよい。すなわち、特許請求の範囲に記載した「隣接するフレーム」は、現フレームに対して１つ前のフレームまたは１つ後のフレームに相当する。
【００３９】
【発明の効果】
以上詳述したように請求項１または４に記載の発明によれば、シンクブロックを構成する輝度信号の所定画素ブロックの一部に訂正不能誤りがある場合には、その訂正不能誤りがある所定画素ブロックを含むシンクブロック内の所定画素ブロックの情報伸張処理は、所定画素ブロック毎の固有のデータに限定して行われ、前記訂正不能誤りがある所定画素ブロックのデータと、その訂正不能誤りがある所定画素ブロックに対応する色信号のデータとが、その訂正不能誤りが発生したフレームに隣接するフレームの対応するデータに置き換えられるので、隣接するフレームのデータとの置き換えが行われる画面領域が、より狭い範囲に限定され、特に動きのある部分の視覚上の妨害を低減することができる。
【００４０】
請求項２または５に記載の発明によれば、訂正不能誤りがある所定画素ブロックを含むシンクブロックの画像内容が前記隣接するフレームの対応するシンクブロックの画像内容と類似するときは、前記訂正不能誤りがある所定画素ブロックを含むシンクブロックのデータがすべて前記隣接するフレームの対応するシンクブロックのデータに置き換えられ、通常の情報伸張処理が行われる一方、前記画像内容が類似しないときは、請求項１または４に記載の発明と同様の処理が行われるので、画像の動きが大きい画面領域では請求項１または４に記載の発明と同様の効果を得ることができ、さらに画像の動きが小さい画面領域では良好な画質を得ることができる。
【図面の簡単な説明】
【図１】本発明の一実施形態にかかる画像信号記録再生装置の構成を示す図である。
【図２】図１の誤り訂正復号化部の構成を示す図である。
【図３】誤り訂正の手法を説明するための図である。
【図４】マクロブロックを説明するための図である。
【図５】マクロブロック、スーパーブロック及びビデオセグメントの関係を説明するための図である。
【図６】符号化したデータを記録するときのフォーマットを示す図である。
【図７】シンクブロックの構成を示す図である。
【図８】誤り訂正復号化処理を説明するための図である。
【図９】従来の誤り訂正復号化部の構成を示す図である。
【符号の説明】
２１  再生ヘッド（再生手段）
２２  再生アンプ（再生手段）
２３  ＳＹＮＣ検出再生復調部（再生手段）
２４  誤り訂正復号化部（誤り訂正復号化処理手段）
２５  伸張処理部（情報伸張処理手段）
２６  出力処理部（出力処理手段）
２７  訂正制御部（訂正制御手段）
３１  内符号復号化部
３２  メモリ
３３  外符号復号化部
３４  消失フラグ付加部
３５  外符号訂正不能フラグ付加部
５０  磁気テープ（記録媒体）
【図１】
0003849305.tif 000002
【図２】
0003849305.tif 000003
【図３】
0003849305.tif 000004
【図４】
0003849305.tif 000005
【図５】
0003849305.tif 000006
【図６】
0003849305.tif 000007
【図７】
0003849305.tif 000008
【図８】
0003849305.tif 000009
【図９】
0003849305.tif 000010